(57)【要約】【課題】股下部の丈長さを簡易に調整することが可能となる、衣服を提供すること。【解決手段】衣服１は、着用者の脚部を覆う右側股下部１２ａ及び左側股下部１２ｂを有する下衣を備えるものであって、右側股下部１２ａ及び左側股下部１２ｂの各々の下端部１２ｃに設けられ、且つ弾性力を有する芯部４０であり、当該下端部１２ｃが折り返された際に当該折り返された折返状態を維持するための芯部４０を備え、右側股下部１２ａ及び左側股下部１２ｂの各々の幅を、右側股下部１２ａ及び左側股下部１２ｂの各々の下端部１２ｃから上方に向かうにしたがって長くした。【選択図】図１
0003235470.tif 000002
【実用新案登録請求の範囲】
【請求項１】
着用者が着用する衣服であり、前記着用者の脚部を覆う左右一対の股下部を有する下衣を備える衣服であって、
前記股下部の下端部に設けられ、且つ弾性力を有する芯部であり、前記股下部の下端部が折り返された際に当該折り返された折返状態を維持するための芯部を備える、
衣服。
【請求項２】
前記股下部の幅を、前記股下部の下端部から上方に向かうにしたがって長くした、
請求項１に記載の衣服。
【請求項３】
前記股下部の下端部の幅を、前記股下部における前記着用者の膝に対応する部分の幅の７０％から８５％程度の長さとした、
請求項２に記載の衣服。
【請求項４】
前記股下部の下端部を、前記股下部の一部を複数回折り返すことにより形成した、
請求項１から３のいずれか一項に記載の衣服。
【請求項５】
前記股下部の下端部が折り返された際に、前記股下部の下端部を前記股下部の下端部よりも上方部分に対して着脱自在に取り付けるための着脱手段を備え、
前記着脱手段は、
前記股下部の下端部に設けられた第１着脱手段と、
前記股下部の上方部分に設けられた第２着脱手段であり、前記第１着脱手段に対して取り付け可能な第２着脱手段と、を備える、
請求項１から４のいずれか一項に記載の衣服。
【請求項６】
前記股下部の部分のうち前記芯部によって前記折返状態が維持される部分よりも上方に、前記第２着脱手段を配置した、
請求項５に記載の衣服。
【請求項７】
前記第１着脱手段を、前記芯部に対して固定した、
請求項５又は６に記載の衣服。
【請求項８】
前記第１着脱手段及び前記第２着脱手段を、前記股下部の裏面側に設けた、
請求項５から７のいずれか一項に記載の衣服。
【考案の詳細な説明】
【技術分野】
【０００１】
本考案は、衣服に関する。
【背景技術】
【０００２】
従来から、ズボンの股下部の丈長さを調整する技術が提案されている。このような技術においては、例えば、ズボンの表生地の先端に裏地と布テープのそれぞれの一端が縫い付けられ、且つ裏地の反対端がズボンの裾よりも上方に縫い付けられており、布テープが、表生地先端と裏地との縫い付け部に設けられる開口部と、裏地の反対端に縫い付けられるテープ通しとを介してズボンの下端から引き出され、引っ張られることで表生地の下端を表生地と裏地との間に引き込むことによりズボンの股下部の丈長さが調整され、その後カットされた布テープが裾の折り返し部分に縫い付けられる技術が開示されている（例えば、特許文献１参照）。
【先行技術文献】
【特許文献】
【０００３】
【特許文献１】特開２００２−２６６１１６号公報
【考案の概要】
【考案が解決しようとする課題】
【０００４】
ここで、上記従来技術においては、上述したように、ズボンの股下部の丈長さが調整された後に、布テープがカットされて裾の折り返し部分に縫い付けられる必要があるので、当該作業に手間を要することから、股下部の丈長さを簡易に調整する観点からは改善の余地があった。
【０００５】
本考案は、上記に鑑みてなされたものであって、股下部の丈長さを簡易に調整することが可能となる、衣服を提供することを目的とする。
【課題を解決するための手段】
【０００６】
請求項１に記載の衣服は、着用者が着用する衣服であり、前記着用者の脚部を覆う左右一対の股下部を有する下衣を備える衣服であって、前記股下部の下端部に設けられ、且つ弾性力を有する芯部であり、前記股下部の下端部が折り返された際に当該折り返された折返状態を維持するための芯部を備える。
【０００７】
請求項２に記載の衣服は、請求項１に記載の衣服において、前記股下部の幅を、前記股下部の下端部から上方に向かうにしたがって長くした。
【０００８】
請求項３に記載の衣服は、請求項２に記載の衣服において、前記股下部の下端部の幅を、前記股下部における前記着用者の膝に対応する部分の幅の７０％から８５％程度の長さとした。
【０００９】
請求項４に記載の衣服は、請求項１から３のいずれか一項に記載の衣服において、前記股下部の下端部を、前記股下部の一部を複数回折り返すことにより形成した。
【００１０】
請求項５に記載の衣服は、請求項１から４のいずれか一項に記載の衣服において、前記股下部の下端部が折り返された際に、前記股下部の下端部を前記股下部の下端部よりも上方部分に対して着脱自在に取り付けるための着脱手段を備え、前記着脱手段は、前記股下部の下端部に設けられた第１着脱手段と、前記股下部の上方部分に設けられた第２着脱手段であり、前記第１着脱手段に対して取り付け可能な第２着脱手段と、を備える。
【００１１】
請求項６に記載の衣服は、請求項５に記載の衣服において、前記股下部の部分のうち前記芯部によって前記折返状態が維持される部分よりも上方に、前記第２着脱手段を配置した。
【００１２】
請求項７に記載の衣服は、請求項５又は６に記載の衣服において、前記第１着脱手段を、前記芯部に対して固定した。
【００１３】
請求項８に記載の衣服は、請求項５から７のいずれか一項に記載の衣服において、前記第１着脱手段及び前記第２着脱手段を、前記股下部の裏面側に設けた。
【考案の効果】
【００１４】
請求項１に記載の衣服によれば、股下部の下端部に設けられ、且つ弾性力を有する芯部であり、股下部の下端部が折り返された際に当該折り返された折返状態を維持するための芯部を備えたので、股下部の折返状態において、芯部の弾性力を用いて当該折返状態を維持でき、股下部の丈の長さを簡易に調整できる。
【００１５】
請求項２に記載の衣服によれば、股下部の幅を、股下部の下端部から上方に向かうにしたがって長くしたので、股下部の折返状態において、股下部の下端部が折り返されていない場合に比べて芯部が外側に向けて伸長することにより、芯部の弾性力を確保しやすくなる。よって、股下部の下端部の幅が股下部の芯部と重なる部分の幅と同一である場合に比べて、股下部の折返状態を維持でき、調整された股下部の丈の長さを効果的に維持することが可能となる。
【００１６】
請求項３に記載の衣服によれば、股下部の下端部の幅を、股下部における着用者の膝に対応する部分の幅の７０％から８５％程度の長さとしたので、上記比率とは異なる他の比率に設定した場合に比べて、衣服の着脱が阻害されることを回避できると共に、股下部の折返状態において芯部の弾性力を十分に確保でき、衣服の着用性を高めることができる。
【００１７】
請求項４に記載の衣服によれば、股下部の下端部を、股下部の一部を複数回折り返すことにより形成したので、股下部の一部を１回のみ折り返す場合に比べて、股下部の折返状態において、芯部の弾性力を確保しやすくなるため、当該折返状態を維持しやすくなる。
【００１８】
請求項５に記載の衣服によれば、着脱手段が、股下部の下端部に設けられた第１着脱手段と、股下部の上方部分に設けられた第２着脱手段であり、第１着脱手段に対して取り付け可能な第２着脱手段と、を備えるので、股下部の折返状態において、着脱手段によって当該折返状態を確実に維持できる。よって、使用状況に応じて、芯部による股下部の折返状態の維持と、着脱手段による股下部の折返状態の維持とを使い分けることができる。
【００１９】
請求項６に記載の衣服によれば、股下部の部分のうち芯部によって折返状態が維持される部分よりも上方に、第２着脱手段を配置したので、股下部の下端部が折り返される際に、第２着脱手段によって当該折り返しが阻害されることを回避でき、着脱手段の使用性を高めることができる。
【００２０】
請求項７に記載の衣服によれば、 第１着脱手段を、芯部に対して固定したので、第１着脱手段を強固に固定でき、第１着脱手段の固定性を高めることができる。
【００２１】
請求項８に記載の衣服によれば、第１着脱手段及び第２着脱手段を、股下部の裏面側に設けたので、第１着脱手段及び第２着脱手段が外部に露出することを抑制でき、衣服の意匠性を維持できる。
【図面の簡単な説明】
【００２２】
【図１】本考案の実施の形態１に係る衣服の構成を示す正面図である。
【図２】図１の衣服の背面図である。
【図３】図１の右側股下部の下端部周辺の領域を示す拡大図である。
【図４】右側股下部の状態を示す図であり、（ａ）は右側股下部の下端部が折り返されていない状態を示す図、（ｂ）は右側股下部の折返状態を示す図である。
【図５】実施の形態２に係る衣服の構成を示す正面図である。
【図６】衣服を裏返した状態の右側股下部を示す正面図である。
【図７】右側股下部の状態を示す図であり、（ａ）は芯部による右側股下部の折返状態を示す図、（ｂ）は着脱部による右側股下部の折返状態を示す図である。
【考案を実施するための形態】
【００２３】
以下に添付図面を参照して、この考案に係る衣服の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本考案が限定されるものではない。
【００２４】
〔Ｉ〕実施の形態の基本的概念
最初に、実施の形態の基本的概念について説明する。実施の形態は、概略的に、着用者が着用する衣服であり、着用者の脚部を覆う左右一対の股下部を有する下衣を備える衣服に関するものである。
【００２５】
ここで、「着用者」とは、衣服を着用する対象者を意味し、例えば、特定の業種や職種に限定されない任意の作業現場の作業者等を含む概念であり、一例として、医療業務、看護業務、あるいは介護業務に従事する従事者等が該当する。
【００２６】
また、「衣服」とは、着用者が着用する衣類であり、例えば、下衣（一例として、長ズボン等）や上下繋ぎ式の衣服を含む概念であるが、実施の形態では、長ズボンとして説明する。
【００２７】
〔ＩＩ〕実施の形態の具体的内容
次に、実施の形態の具体的内容について説明する。
【００２８】
〔実施の形態１〕
まず、実施の形態１に係る衣服について説明する。この実施の形態１は、芯部を備える形態である。
【００２９】
（構成）
最初に、実施の形態１に係る衣服の構成について説明する。
【００３０】
図１は、本考案の実施の形態１に係る衣服の構成を示す正面図である。図２は、図１の衣服の背面図である。
【００３１】
以下の説明では、図１のＸ方向を左右方向（着用者から見た方向を基準とするものとし、−Ｘ方向を右方向、＋Ｘ方向を左方向）、図１のＹ方向を上下方向（＋Ｙ方向を上方向、−Ｙ方向を下方向）、Ｘ方向及びＹ方向に直交する方向を前後方向（図１の紙面の手前側に至る方向を前方向、図１の紙面の奥側に至る方向を後方向）と称する。なお、図１の衣服の中心位置を基準として、衣服から離れる方向を「外側」と称し、衣服に近づく方向を「内側」と称する。
【００３２】
図１、図２に示すように、衣服１は、衣服本体１０、第１股上側開閉部（図示省略）、第２股上側開閉部２０、右側ポケット部３１、及び左側ポケット部３２を備えている。
【００３３】
（構成−衣服本体）
まず、衣服本体１０の構成について説明する。
【００３４】
衣服本体１０は、衣服１の基本構造体であり、図１、図２に示すように、着用者の下半身を覆うことが可能な略中空状体にて形成されている。また、以下に示す通りに、説明の都合上、衣服本体１０を２つの領域に区分して説明する。
【００３５】
すなわち、この衣服本体１０は、着用者の腹側を覆う前身頃１０ａと、着用者の臀部側を覆う後身頃１０ｂとを備えている。また、前身頃１０ａ及び後身頃１０ｂの各々の部分のうち、着用者の股上に対応する部分を「股上部１１」と称し、着用者の股下に対応する部分を「左右一対の股下部１２」と称し、着用者の股底に対応する部分を「股底部１３」と称する。また、左右一対の股下部１２のうち、着用者の右側股下に対応する股下部１２ａを「右側股下部１２ａ」と称し、着用者の左側股下に対応する股下部１２ｂを「左側股下部１２ｂ」と称する。また、股上部１１の上端部を腰口部１４と称し、左右一対の股下部１２の下端部１２ｃを裾口部１５と称する。また、衣服本体１０の側面のうち、着用者の肌面に対向する側の面１０ｃを「衣服内面１０ｃ」と称し、着用者の肌面に対向する側とは反対側の面１０ｄを「衣服外面１０ｄ」と称する。
【００３６】
図１に戻り、また、この衣服本体１０の具体的な構成については任意であるが、実施の形態１では、図１に示すように、股上側切欠部１６及び持出部（図示省略）を備えている。
【００３７】
（構成−衣服本体−股上側切欠部）
股上側切欠部１６は、衣服１（特に、股上部１１）の着脱を補助するための切欠部であり、図１に示すように、前身頃１０ａの股上部１１における左右方向の内側部分において、当該内側部分の上端部から下端部に至る部分にわたって形成されている。
【００３８】
（構成−衣服本体−持出部）
持出部は、後述する第１股上側開閉部（具体的には、後述する右側務歯部や後述する左側務歯部等）が着用者に接触することを回避するためのものであり、前身頃１０ａの股上部１１のうち股上側切欠部１６の右側部分において、股上側切欠部１６の略全長にわたって設けられており、股上側切欠部１６の右側部分に対して接続されている。
【００３９】
また、このように構成された衣服本体１０の材質は任意であるが、例えば、着用者が動きやすい材質で形成されることが望ましく、一例として、軽量且つ伸縮性を有する公知の織物素材や、表地をポリエステル材とし、裏地を綿材（又はキュプラ材）とした公知の多層ニット素材、又はこれらを組み合わせたもの等にて形成されている。
【００４０】
（構成−第１股上側開閉部）
次に、第１股上側開閉部の構成について説明する。
【００４１】
第１股上側開閉部は、前身頃１０ａの股上部１１（具体的には、股上側切欠部１６）を開閉自在とする開閉部である。この第１股上側開閉部は、例えば公知の衣類用の線ファスナ（一例として、樹脂製又は金属製の線ファスナ等）を用いて構成されており、右側務歯部、左側務歯部、及びスライダ部を備えている（いずれも図示省略）。
【００４２】
このうち、右側務歯部は、スライダ部が移動することで、互いにかみ合ったり離れたりする部分であり、股上部１１における股上側切欠部１６の右側近傍部分において、股上側切欠部１６の略全長にわたって設けられており、テープ部（図示省略）を介して股上部１１に対して接続されている。
【００４３】
また、左側務歯部は、スライダ部が移動することで、互いにかみ合ったり離れたりする部分であり、股上部１１における股上側切欠部１６の左側近傍部分において、股上側切欠部１６の略全長にわたって設けられており、テープ部（図示省略）を介して股上部１１に対して接続されている。
【００４４】
また、スライダ部は、右側務歯部及び左側務歯部をかみ合わせたり離したりするための部分であり、右側務歯部と左側務歯部との相互間に設けられており、左側務歯部に対して嵌合構造等にて接続されている。
【００４５】
（構成−第２股上側開閉部）
次に、第２股上側開閉部２０の構成について説明する。
【００４６】
第２股上側開閉部２０は、股上側切欠部１６を開閉自在とする開閉部であり、図１に示すように、取付部２１及び取付孔２２を備えている。
【００４７】
このうち、取付部２１は、股上部１１における股上側切欠部１６の右側部分を股上部１１における股上側切欠部１６の左側部分に取り付けるためのものであり、例えば公知の衣類用の取付具（一例として、ボタン等）を用いて構成されており、持出部における衣服外面１０ｄの上端部に取り付けられている。
【００４８】
また、取付孔２２は、取付部２１を取り付けるための貫通孔であり、図１に示すように、股上部１１における股上側切欠部１６の左側部分の上端部に設けられている。
【００４９】
（構成−右側ポケット部、左側ポケット部）
次に、右側ポケット部３１及び左側ポケット部３２の構成について説明する。
【００５０】
右側ポケット部３１及び左側ポケット部３２は、収容物（図示省略）を収容するためのものである。ここで、「収容物」とは、右側ポケット部３１又は左側ポケット部３２に収容されるものであり、例えば、医療用ＰＨＳ、携帯電話、介護器具、文具等を含む概念である。
【００５１】
これら右側ポケット部３１及び左側ポケット部３２は、例えば、衣服本体１０と略同一の材質である公知の織物素材を前身頃１０ａに対して縫着等にて固定することで、全体として略袋状体に形成されている。また、図１に示すように、右側ポケット部３１は、前身頃１０ａの衣服外面１０ｄのうち着用者の右側股上と対応する部分に設けられており、左側ポケット部３２は、前身頃１０ａの衣服外面１０ｄのうち着用者の左側股上と対応する部分に設けられている。
【００５２】
（構成−股下部の調整構造）
次に、左右一対の股下部１２（具体的には、右側股下部１２ａ、左側股下部１２ｂ）の調整構造の構成について説明する。
【００５３】
この衣服１は、左右一対の股下部１２の丈の長さを調整するための調整構造を備えており、この調整構造は、右側股下部１２ａの調整構造、及び左側股下部１２ｂの調整構造を備えている。
【００５４】
ここで、これら右側股下部１２ａの調整構造、及び左側股下部１２ｂの調整構造の各々の構成はそれぞれ略同一であるので、以下では、右側股下部１２ａの固定構造の構成のみについて説明することとする（なお、後述する実施の形態２に係る右側股下部１２ａの調整構造、及び左側股下部１２ｂの調整構造についても同様とする）。
【００５５】
（構成−股下部の調整構造−右側股下部の調整構造）
次いで、右側股下部１２ａの調整構造の構成について説明する。
【００５６】
図３は、図１の右側股下部１２ａの下端部１２ｃ周辺の領域を示す拡大図である。図４は、右側股下部１２ａの状態を示す図であり、（ａ）は右側股下部１２ａの下端部１２ｃが折り返されていない状態を示す図、（ｂ）は右側股下部１２ａの折返状態を示す図である。
【００５７】
右側股下部１２ａの調整構造は、右側股下部１２ａの丈の長さを調整するための調整構造であり、当該調整構造の特徴については、実施の形態１では、以下に示す通りとなる。
【００５８】
（構成−股下部の調整構造−右側股下部の調整構造−第１の特徴）
最初に、右側股下部１２ａの調整構造の第１の特徴については、図１から図４に示すように、当該調整構造が、芯部４０を備えている。
【００５９】
芯部４０は、右側股下部１２ａの下端部１２ｃが内側（又は外側）に折り返された際に当該折り返された状態（例えば、図４（ｂ）に示すように、右側股下部１２ａの下端部１２ｃを内側に２回折り返された状態。以下、「折返状態」と称する。）を維持するためのものである。この芯部４０は、略板状体にて形成されており、図１、図２に示すように、右側股下部１２ａの下端部１２ｃにおいて、当該下端部１２ｃの周方向の全長にわたって少なくとも１つ以上設けられている（具体的には、１つだけ設けられている）。
【００６０】
ここで、「右側股下部１２ａの下端部１２ｃ」とは、実施の形態１では、右側股下部１２ａが折り返されていない状態時における右側股下部１２ａの下端及びその近傍部分を意味する。
【００６１】
ここで、芯部４０の具体的な大きさについては任意であるが、実施の形態１では以下の通りに設定している。
【００６２】
すなわち、芯部４０の左右方向の長さについては、右側股下部１２ａの下端部１２ｃの幅Ｗ１よりも短く（又は略同一）に設定している。また、芯部４０の上下方向の長さについては、着用者のニーズに応じた長さに設定しており、例えば、２ｃｍから６ｃｍ程度（一例として、４ｃｍ程度）に設定してもよい。また、芯部４０の厚さについては、所望の弾性力が得られる厚さに設定しており、例えば、０．５ｍｍから１ｍｍ程度に設定してもよい。
【００６３】
また、芯部４０の材質については任意であるが、実施の形態１では、弾性力を有する芯材で構成されている。具体的には、樹脂製の芯材で構成されており、例えば、ナイロンやポリエステル等の織物からなる単層又は複数層の芯材等で構成されてもよい。
【００６４】
また、芯部４０の取付方法については任意であるが、実施の形態１では、右側股下部１２ａの下端部１２ｃを形成する際に、右側股下部１２ａの一部を複数回折り返すと共に、当該折り返された部分同士の間に芯部４０を配置させた後に、芯部４０及び当該折り返された部分を当該折り返されていない部分に対して接続することにより、取り付けている。
【００６５】
具体的には、図３に示すように、右側股下部１２ａの一部を完全三つ折りに折り返すと共に、当該折り返された部分のうち、外側に位置する外側折り返し部分１２ｅと内側に位置する内側折り返し部分１２ｆとの間に芯部４０を配置させた後に、芯部４０及びこれら折り返し部分を当該折り返されていない非折り返し部分に対して縫着等により接続することにより、取り付けている。
【００６６】
これにより、芯部４０を外部に露出しないように取り付けることができ、衣服１の意匠性を維持できる。また、右側股下部１２ａの下端部１２ｃを、右側股下部１２ａの一部を複数回折り返すことにより形成するので、右側股下部１２ａの一部を１回のみ折り返す場合に比べて、右側股下部１２ａの折返状態において、芯部４０の弾性力を確保しやすくなるため、当該折返状態を維持しやすくなる。
【００６７】
このような第１の特徴により、右側股下部１２ａの折返状態において、芯部４０の弾性力を用いて当該折返状態を維持でき、右側股下部１２ａの丈の長さを簡易に調整できる。
【００６８】
（構成−股下部の調整構造−右側股下部の調整構造−第２の特徴）
図１に戻り、次に、右側股下部１２ａの調整構造の第２の特徴については、図１に示すように、右側股下部１２ａの幅（図１では、左右方向の長さ）が、右側股下部１２ａの下端部１２ｃから上方に向かうにしたがって長く設定されている。
【００６９】
具体的には、右側股下部１２ａの下端部１２ｃの幅Ｗ１が、右側股下部１２ａにおける着用者の膝に対応する部分の幅Ｗ２の７０％から８５％程度の長さに設定されている。
【００７０】
ここで、上述のように、右側股下部１２ａの下端部１２ｃの幅Ｗ１が設定されている理由については、以下に示す通りとなる。
【００７１】
すなわち、右側股下部１２ａの下端部１２ｃの幅Ｗ１が、右側股下部１２ａにおける着用者の膝に対応する部分の幅Ｗ２の７０％未満に設定されると、裾幅が狭くなり過ぎることから、衣服１の着脱の際に足が引っかかることで当該着脱が難しくなるという問題が生じるおそれがあった。また、右側股下部１２ａの下端部１２ｃの幅Ｗ１が、右側股下部１２ａにおける着用者の膝に対応する部分の幅Ｗ２の８５％を上回るように設定されると、右側股下部１２ａの折返状態において、芯部４０の弾性力が十分に確保できずに芯部４０が垂れ下がることにより、調整された右側股下部１２ａの丈長さを維持することが難しくなるという問題が生じるおそれがあった。したがって、以上の問題を回避するために、上述のように、右側股下部１２ａの下端部１２ｃの幅Ｗ１が設定されている。
【００７２】
このような第２の特徴により、右側股下部１２ａの折返状態において、図４（ａ）に示す右側股下部１２ａの下端部１２ｃが折り返されていない場合に比べて芯部４０が外側に向けて伸長することにより、芯部４０の弾性力を確保しやすくなる。よって、右側股下部１２ａの下端部の幅が右側股下部１２ａの芯部４０と重なる部分の幅と同一である場合に比べて、右側股下部１２ａの折返状態を維持でき、調整された右側股下部１２ａの丈の長さを効果的に維持することが可能となる。また、上記比率とは異なる他の比率に設定した場合に比べて、衣服１の着脱が阻害されることを回避できると共に、右側股下部１２ａの折返状態において芯部４０の弾性力を十分に確保でき、衣服１の着用性を高めることができる。
【００７３】
以上のような調整構造により、股下部１２（具体的には、右側股下部１２ａ、左側股下部１２ｂ）の折返状態において当該折返状態を効果的に維持でき、衣服１の着用性を高めることができる。
【００７４】
（実施の形態１の効果）
このように実施の形態１によれば、股下部１２の下端部１２ｃに設けられ、且つ弾性力を有する芯部４０であり、股下部１２の下端部１２ｃが折り返された際に当該折り返された折返状態を維持するための芯部４０を備えたので、股下部１２の折返状態において、芯部４０の弾性力を用いて当該折返状態を維持でき、股下部１２の丈の長さを簡易に調整できる。
【００７５】
また、股下部１２の幅を、股下部１２の下端部１２ｃから上方に向かうにしたがって長くしたので、股下部１２の折返状態において、股下部１２の下端部１２ｃが折り返されていない場合に比べて芯部４０が外側に向けて伸長することにより、芯部４０の弾性力を確保しやすくなる。よって、股下部の下端部の幅が股下部の芯部と重なる部分の幅と同一である場合に比べて、股下部１２の折返状態を維持でき、調整された股下部１２の丈の長さを効果的に維持することが可能となる。
【００７６】
また、股下部１２の下端部１２ｃの幅Ｗ１を、股下部１２における着用者の膝に対応する部分の幅Ｗ２の７０％から８５％程度の長さとしたので、上記比率とは異なる他の比率に設定した場合に比べて、衣服１の着脱が阻害されることを回避できると共に、股下部１２の折返状態において芯部４０の弾性力を十分に確保でき、衣服１の着用性を高めることができる。
【００７７】
また、股下部１２の下端部１２ｃを、股下部１２の一部を複数回折り返すことにより形成したので、股下部１２の一部を１回のみ折り返す場合に比べて、股下部１２の折返状態において、芯部４０の弾性力を確保しやすくなるため、当該折返状態を維持しやすくなる。
【００７８】
〔実施の形態２〕
次に、実施の形態２に係る衣服について説明する。この実施の形態２は、着脱手段を備えた形態である。ただし、実施の形態２に係る構成は、特に説明する場合を除いては実施の形態１に係る構成と同じであるものとし、同一の構成については、実施の形態１で使用したものと同一の名称又は符号を必要に応じて用いることで、その説明を省略する。
【００７９】
（構成）
最初に、実施の形態２に係る衣服の構成について説明する。
【００８０】
図５は、実施の形態２に係る衣服の構成を示す正面図である。
【００８１】
実施の形態２に係る衣服１００は、図５に示すように、実施の形態１に係る衣服１と略同一に構成されている。ただし、右側股下部１２ａの調整構造の構成の詳細については、下記に示す工夫が施されている。
【００８２】
（構成−右側股下部の調整構造）
次に、右側股下部１２ａの調整構造の構成について説明する。
【００８３】
図６は、衣服１００を裏返した状態の右側股下部１２ａを示す正面図である。図７は、右側股下部１２ａの状態を示す図であり、（ａ）は芯部４０による右側股下部１２ａの折返状態を示す図、（ｂ）は着脱部１１０による右側股下部１２ａの折返状態を示す図である。
【００８４】
右側股下部１２ａの調整構造は、上述した実施の形態１に係る特徴（上記第１特徴及び上記第２特徴）に加えて、実施の形態２では、図５に示すように、着脱部１１０を備えている。
【００８５】
（構成−右側股下部の調整構造−着脱部）
着脱部１１０は、右側股下部１２ａの下端部１２ｃが内側（又は外側）に折り返された際に、右側股下部１２ａの下端部１２ｃを右側股下部１２ａの下端部１２ｃよりも上方部分１２ｄ（以下、単に「上方部分１２ｄ」と称する）に対して着脱自在に取り付けるための着脱手段である。この着脱部１１０は、例えば公知の着脱部材（一例として、スナッパー）を用いて構成されており、具体的には、図５に示すように、第１着脱部１１１及び第２着脱部１１２を備えている。
【００８６】
（構成−右側股下部の調整構造−着脱部−第１着脱部）
第１着脱部１１１は、第２着脱部１１２によって取り付けられる第１着脱手段であり、例えば公知の着脱部材の雄材（一例として、スナッパーの雄材）を用いて構成されており、図５に示すように、右側股下部１２ａの下端部１２ｃに設けられている。
【００８７】
この第１着脱部１１１の設置方法については任意であるが、実施の形態２では、右側股下部１２ａの裏面側に設けると共に、芯部４０に対して固定している。
【００８８】
具体的には、図６に示すように、右側股下部１２ａの下端部１２ｃの衣服内面１０ｃのうち、前身頃１０ａと後身頃１０ｂとの境界部分（具体的には、着用者の内側股下側の境界部分及び外側股下側の境界部分）にそれぞれ配置し、基材１１３及び右側股下部１２ａ（具体的には、外側折り返し部分１２ｅ及び内側に位置する内側折り返し部分１２ｆ）を介して芯部４０に対して縫着等によりそれぞれ固定している。
【００８９】
これにより、第１着脱部１１１が外部に露出することを抑制でき、衣服１００の意匠性を維持できる。また、第１着脱部１１１を強固に固定でき、第１着脱部１１１の固定性を高めることができる。
【００９０】
（構成−右側股下部の調整構造−着脱部−第２着脱部）
図５に戻り、第２着脱部１１２は、第１着脱部１１１に対して取り付け可能な第２着脱手段であり、例えば公知の着脱部材の雌材（一例として、スナッパーの雌材）を用いて構成されており、図５に示すように、上記右側股下部１２ａの上方部分１２ｄに設けられている。
【００９１】
この第２着脱部１１２の設置方法については任意であるが、実施の形態２では、右側股下部１２ａの裏面側において上下方向に沿って複数並設すると共に、上記右側股下部１２ａの上方部分１２ｄのうち、芯部４０によって右側股下部１２ａの折返状態が維持される部分よりも上方に配置して、右側股下部１２ａに対して固定している。
【００９２】
具体的には、図６、図７（ａ）に示すように、右側股下部１２ａの衣服内面１０ｃのうち、上記右側股下部１２ａの折返状態が維持される部分よりも上方側の部分であり、且つ前身頃１０ａと後身頃１０ｂとの境界部分（具体的には、着用者の内側股下側の境界部分及び外側股下側の境界部分）にそれぞれ複数並設して配置し、基材１１３を介して右側股下部１２ａに対して縫着等によりそれぞれ固定している。
【００９３】
これにより、第２着脱部１１２が外部に露出することを抑制でき、衣服１００の意匠性を維持できる。また、ユーザのニーズに応じて第１着脱部１１１と第２着脱部１１２との取付位置を変更でき、着脱部１１０の使用性を高めることができる。さらに、右側股下部１２ａの下端部１２ｃが折り返される際に、第２着脱部１１２によって当該折り返しが阻害されることを回避でき、着脱部１１０の使用性を一層高めることができる。
【００９４】
このような右側股下部１２ａの調整構造により、図７（ｂ）に示す右側股下部１２ａの折返状態（例えば、右側股下部１２ａの下端部１２ｃを内側に１回折り返された状態）において、着脱部１１０によって当該折返状態を確実に維持できる。よって、使用状況に応じて、芯部４０による右側股下部１２ａの折返状態（例えば、図７（ａ）に示すように、右側股下部１２ａの下端部１２ｃを内側に２回折り返された状態）の維持と、着脱部１１０による右側股下部１２ａの折返状態（図７（ｂ）に示す状態）の維持とを使い分けることができる。
【００９５】
（実施の形態２の効果）
このように実施の形態２によれば、着脱部１１０が、股下部１２の下端部１２ｃに設けられた第１着脱部１１１と、股下部１２の上方部分１２ｄに設けられた第２着脱部１１２であり、第１着脱部１１１に対して取り付け可能な第２着脱部１１２と、を備えるので、股下部１２の折返状態において、着脱部１１０によって当該折返状態を確実に維持できる。よって、使用状況に応じて、芯部４０による股下部１２の折返状態の維持と、着脱部１１０による股下部１２の折返状態の維持とを使い分けることができる。
【００９６】
また、股下部１２の部分のうち芯部４０によって折返状態が維持される部分よりも上方に、第２着脱部１１２を配置したので、股下部１２の下端部１２ｃが折り返される際に、第２着脱部１１２によって当該折り返しが阻害されることを回避でき、着脱部１１０の使用性を高めることができる。
【００９７】
また、第１着脱部１１１を、芯部４０に対して固定したので、第１着脱部１１１を強固に固定でき、第１着脱部１１１の固定性を高めることができる。
【００９８】
また、第１着脱部１１１及び第２着脱部１１２を、股下部１２の裏面側に設けたので、第１着脱部１１１及び第２着脱部１１２が外部に露出することを抑制でき、衣服１００の意匠性を維持できる。
【００９９】
〔ＩＩＩ〕実施の形態に対する変形例
以上、本考案に係る実施の形態について説明したが、本考案の具体的な構成及び手段は、実用新案登録請求の範囲に記載した各考案の技術的思想の範囲内において、任意に改変及び改良することができる。以下、このような変形例について説明する。
【０１００】
（解決しようとする課題や考案の効果について）
まず、考案が解決しようとする課題や考案の効果は、上述の内容に限定されるものではなく、考案の実施環境や構成の細部に応じて異なる可能性があり、上述した課題の一部のみを解決したり、上述した効果の一部のみを奏したりすることがある。
【０１０１】
（形状、数値、構造、時系列について）
上記実施の形態や図面において例示した構成要素に関して、形状、数値、又は複数の構成要素の構造若しくは時系列の相互関係については、本考案の技術的思想の範囲内において、任意に改変及び改良することができる。例えば、衣服本体１０における各部は、特記する場合を除いて、上記説明とは異なる形状、方法、及び材質で製造することができる。
【０１０２】
（衣服について）
上記実施の形態１、２では、衣服が、第１股上側開閉部、第２股上側開閉部２０、右側ポケット部３１、及び左側ポケット部３２を備えていると説明したが、これに限られず、例えば、第１股上側開閉部、第２股上側開閉部２０、右側ポケット部３１、又は／及び左側ポケット部３２を省略してもよい。
【０１０３】
（衣服本体について）
上記実施の形態１、２では、衣服本体１０が、股上側切欠部１６及び持出部を備えていると説明したが、例えば、第１股上側開閉部を省略する場合には、股上側切欠部１６及び持出部を省略してもよい。
【０１０４】
（右側股下部の調整構造について）
上記実施の形態１、２では、右側股下部１２ａの下端部１２ｃに１つの芯部４０が設けられていると説明したが、これに限らず、例えば、右側股下部１２ａの下端部１２ｃに複数の芯部４０が当該下端部１２ｃの周方向に並設されてもよい。
【０１０５】
また、上記実施の形態１、２では、右側股下部１２ａの下端部１２ｃが、右側股下部１２ａの一部を完全三つ折りに折り返すことにより形成されていると説明したが、これに限らない。例えば、四つ折りに折り返すことにより形成されてもよく、あるいは、二つ折りに折り返すこと（すなわち、右側股下部１２ａの一部を１回のみ折り返すこと）により形成されてもよい。
【０１０６】
また、上記実施の形態１、２では、右側股下部１２ａの幅が、右側股下部１２ａの下端部１２ｃから上方に向かうにしたがって長く設定されていると説明したが、これに限らず、例えば、右側股下部１２ａの上下方向の全長にわたって略均一に設定されてもよい。
【０１０７】
また、上記実施の形態１、２では、右側股下部１２ａの下端部１２ｃの幅Ｗ１が、右側股下部１２ａにおける着用者の膝に対応する部分の幅Ｗ２の７０％から８５％程度の長さに設定されていると説明したが、これに限らず、例えば、右側股下部１２ａにおける着用者の膝に対応する部分の幅Ｗ２の７０％未満に設定されてもよく、あるいは、右側股下部１２ａにおける着用者の膝に対応する部分の幅Ｗ２の８５％を上回るように設定されてもよい。
【０１０８】
また、上記実施の形態２では、着脱部１１０がスナッパーで構成されていると説明したが、これに限らず、例えば、面ファスナで構成されてもよく、あるいは、ボタン及びボタン孔で構成されてもよい。
【０１０９】
また、上記実施の形態２では、第１着脱部１１１がスナッパーの雄材で構成され、第２着脱部１１２がスナッパーの雌材で構成されていると説明したが、これに限らない。例えば、第１着脱部１１１がスナッパーの雌材で構成され、第２着脱部１１２がスナッパーの雄材で構成されてもよい。あるいは、第１着脱部１１１のうち、着用者の内側股下側に位置する第１着脱部１１１がスナッパーの雄材で構成され、且つ着用者の外側股下側に位置する第１着脱部１１１がスナッパーの雌材で構成されると共に、第２着脱部１１２のうち、着用者の内側股下側に位置する第２着脱部１１２がスナッパーの雌材で構成され、且つ着用者の外側股下側に位置する第２着脱部１１２がスナッパーの雄材で構成されてもよい。
【０１１０】
また、上記実施の形態２では、第１着脱部１１１及び第２着脱部１１２が、右側股下部１２ａの裏面側に設けられていると説明したが、これに限らず、例えば、右側股下部１２ａの表面側に設けられてもよい。
【０１１１】
また、上記実施の形態２では、第１着脱部１１１及び第２着脱部１１２が、前身頃１０ａと後身頃１０ｂとの境界部分に設けられていると説明したが、これに限らず、例えば、境界部分以外の部分（例えば、右側股下部１２ａの折り目の近傍部分）に設けられてもよい。
【０１１２】
また、上記実施の形態２では、第１着脱部１１１が、基材１１３及び右側股下部１２ａを介して芯部４０に対して縫着等によりそれぞれ固定されていると説明したが、これに限らない。例えば、第１着脱部１１１は、芯部４０に対して固定されずに、右側股下部１２ａに対して固定されてもよい。あるいは、第１着脱部１１１及び芯部４０が右側股下部１２ａの衣服外面１０ｄに設けられる場合には、第１着脱部１１１は、芯部４０のみに対して固定されてもよい。
【０１１３】
また、上記実施の形態２では、第２着脱部１１２が、前身頃１０ａと後身頃１０ｂとの各境界部分において上下方向に沿って複数並設されていると説明したが、これに限らず、例えば、当該各境界部分において１つのみ設けられてもよい。
【０１１４】
（付記）
付記１の衣服は、着用者が着用する衣服であり、前記着用者の脚部を覆う左右一対の股下部を有する下衣を備える衣服であって、前記股下部の下端部に設けられ、且つ弾性力を有する芯部であり、前記股下部の下端部が折り返された際に当該折り返された折返状態を維持するための芯部を備える。
【０１１５】
付記２の衣服は、付記１に記載の衣服において、前記股下部の幅を、前記股下部の下端部から上方に向かうにしたがって長くした。
【０１１６】
付記３の衣服は、付記２に記載の衣服において、前記股下部の下端部の幅を、前記股下部における前記着用者の膝に対応する部分の幅の７０％から８５％程度の長さとした。
【０１１７】
付記４の衣服は、付記１から３のいずれか一項に記載の衣服において、前記股下部の下端部を、前記股下部の一部を複数回折り返すことにより形成した。
【０１１８】
付記５の衣服は、付記１から４のいずれか一項に記載の衣服において、前記股下部の下端部が折り返された際に、前記股下部の下端部を前記股下部の下端部よりも上方部分に対して着脱自在に取り付けるための着脱手段を備え、前記着脱手段は、前記股下部の下端部に設けられた第１着脱手段と、前記股下部の上方部分に設けられた第２着脱手段であり、前記第１着脱手段に対して取り付け可能な第２着脱手段と、を備える。
【０１１９】
付記６の衣服は、付記５に記載の衣服において、前記股下部の部分のうち前記芯部によって前記折返状態が維持される部分よりも上方に、前記第２着脱手段を配置した。
【０１２０】
付記７の衣服は、付記５又は６に記載の衣服において、前記第１着脱手段を、前記芯部に対して固定した。
【０１２１】
付記８の衣服は、付記５から７のいずれか一項に記載の衣服において、前記第１着脱手段及び前記第２着脱手段を、前記股下部の裏面側に設けた。
【０１２２】
（付記の効果）
付記１に記載の衣服によれば、股下部の下端部に設けられ、且つ弾性力を有する芯部であり、股下部の下端部が折り返された際に当該折り返された折返状態を維持するための芯部を備えたので、股下部の折返状態において、芯部の弾性力を用いて当該折返状態を維持でき、股下部の丈の長さを簡易に調整できる。
【０１２３】
付記２に記載の衣服によれば、股下部の幅を、股下部の下端部から上方に向かうにしたがって長くしたので、股下部の折返状態において、股下部の下端部が折り返されていない場合に比べて芯部が外側に向けて伸長することにより、芯部の弾性力を確保しやすくなる。よって、股下部の下端部の幅が股下部の芯部と重なる部分の幅と同一である場合に比べて、股下部の折返状態を維持でき、調整された股下部の丈の長さを効果的に維持することが可能となる。
【０１２４】
付記３に記載の衣服によれば、股下部の下端部の幅を、股下部における着用者の膝に対応する部分の幅の７０％から８５％程度の長さとしたので、上記比率とは異なる他の比率に設定した場合に比べて、衣服の着脱が阻害されることを回避できると共に、股下部の折返状態において芯部の弾性力を十分に確保でき、衣服の着用性を高めることができる。
【０１２５】
付記４に記載の衣服によれば、股下部の下端部を、股下部の一部を複数回折り返すことにより形成したので、股下部の一部を１回のみ折り返す場合に比べて、股下部の折返状態において、芯部の弾性力を確保しやすくなるため、当該折返状態を維持しやすくなる。
【０１２６】
付記５に記載の衣服によれば、着脱手段が、股下部の下端部に設けられた第１着脱手段と、股下部の上方部分に設けられた第２着脱手段であり、第１着脱手段に対して取り付け可能な第２着脱手段と、を備えるので、股下部の折返状態において、着脱手段によって当該折返状態を確実に維持できる。よって、使用状況に応じて、芯部による股下部の折返状態の維持と、着脱手段による股下部の折返状態の維持とを使い分けることができる。
【０１２７】
付記６に記載の衣服によれば、股下部の部分のうち芯部によって折返状態が維持される部分よりも上方に、第２着脱手段を配置したので、股下部の下端部が折り返される際に、第２着脱手段によって当該折り返しが阻害されることを回避でき、着脱手段の使用性を高めることができる。
【０１２８】
付記７に記載の衣服によれば、   第１着脱手段を、芯部に対して固定したので、第１着脱手段を強固に固定でき、第１着脱手段の固定性を高めることができる。
【０１２９】
付記８に記載の衣服によれば、第１着脱手段及び第２着脱手段を、股下部の裏面側に設けたので、第１着脱手段及び第２着脱手段が外部に露出することを抑制でき、衣服の意匠性を維持できる。
【符号の説明】
【０１３０】
１  衣服
１０  衣服本体
１０ａ  前身頃
１０ｂ  後身頃
１０ｃ  衣服内面
１０ｄ  衣服外面
１１  股上部
１２  股下部
１２ａ  右側股下部
１２ｂ  左側股下部
１２ｃ  下端部
１２ｄ  上方部分
１２ｅ  外側折り返し部分
１２ｆ  内側折り返し部分
１３  股底部
１４  腰口部
１５  裾口部
１６  股上側切欠部
２０  第２股上側開閉部
２１  取付部
２２  取付孔
３１  右側ポケット部
３２  左側ポケット部
４０  芯部
１００  衣服
１１０  着脱部
１１１  第１着脱部
１１２  第２着脱部
１１３  基材
Ｗ１  下端部の幅
Ｗ２  着用者の膝に対応する部分の幅
【図１】
0003235470.tif 000003
【図２】
0003235470.tif 000004
【図３】
0003235470.tif 000005
【図４】
0003235470.tif 000006
【図５】
0003235470.tif 000007
【図６】
0003235470.tif 000008
【図７】
0003235470.tif 000009